(57)【要約】【課題】本を管理するための複数の画像を作業者が本に貼付する作業を行い易くする技術を提供する。【解決手段】画像処理装置１００は、本の属性を示す属性情報、本を識別する識別情報、並びに施設における本の配置および本の貸出を禁止する期間の少なくともいずれか一方を示すラベル情報のセットを１または複数取得する取得手段１５１と、取得手段１５１により取得された識別情報をコード画像に変換する変換手段１５２と、取得手段１５１により取得されたラベル情報に基づいてラベル画像を生成する生成手段１５３と、取得手段１５１により取得された属性情報の一部または全部を表す画像、変換手段１５２により変換されたコード画像、および生成手段１５３により生成されたラベル画像を、一のセットに対応する画像群が一枚の媒体に形成されるように、１または複数の媒体に画像形成する画像形成手段１５４とを備える。【選択図】図７
2016001396.tif 000002
【特許請求の範囲】
【請求項１】
本の属性を示す属性情報、本を識別する識別情報、並びに施設における当該本の配置および当該本の貸出が許可されない期間の少なくともいずれか一方を示すラベル情報のセットを１または複数取得する取得手段と、
前記取得された識別情報をコード画像に変換する変換手段と、
前記取得されたラベル情報に基づいてラベル画像を生成する生成手段と、
前記取得された属性情報の一部または全部を表す画像、前記変換されたコード画像、および前記生成されたラベル画像を、一の前記セットに対応する画像群が一枚の媒体に形成されるように、１または複数の媒体に画像形成する画像形成手段と
を備える画像処理装置。
【請求項２】
前記画像形成手段は、前記属性情報を表す画像、前記コード画像および前記ラベル画像に加えて、前記コード画像を囲む第１枠画像および前記ラベル画像を囲む第２枠画像を、前記１または複数の媒体に画像形成する
請求項１に記載の画像処理装置。
【請求項３】
前記画像形成手段は、前記属性情報を表す画像、前記コード画像および前記ラベル画像を囲む第３枠画像を、前記１または複数の媒体に画像形成する
請求項１または２に記載の画像処理装置。
【請求項４】
前記取得手段は、前記セットを複数取得し、
前記画像形成手段は、複数の前記画像群を順に、予め定められたサイズのページに配置し、当該画像群が配置可能な余白がページ内にない場合に、当該画像群を配置するページを改める
請求項１ないし３のいずれか１項に記載の画像処理装置。
【請求項５】
前記取得手段は、前記セットを複数取得し、
前記画像形成手段は、複数の前記画像群を、前記属性情報、前記識別情報および前記ラベル情報の少なくともいずれかひとつに基づいてソートし、複数の前記画像群を１または複数のページに該ソートされた順に配置する
請求項１ないし４のいずれか１項に記載の画像処理装置。
【請求項６】
前記媒体において前記画像群が形成される領域のサイズを算出する算出手段と、
サイズがそれぞれ異なる複数の媒体のなかから、前記算出されたサイズとの関係が予め定められた条件を満たすものを選択する選択手段と
を更に備え、
前記画像形成手段は、前記画像群を前記選択された媒体に形成する
請求項１ないし５のいずれか１項に記載の画像処理装置。
【請求項７】
前記画像形成手段は、前記コード画像と前記ラベル画像とを予め定められた第１の方向に並べて配置するとともに、前記第１の方向に垂直な第２の方向における前記コード画像の長さと前記ラベル画像の長さを揃える
請求項１ないし６のいずれか１項に記載の画像処理装置。
【請求項８】
自装置の画像形成機能および画像読取機能の少なくともいずれか一方の性能に関する情報を取得する情報取得手段
を更に備え、
前記画像形成手段は、前記取得された情報に基づいて前記コード画像のサイズを決定する
請求項１ないし７のいずれか１項に記載の画像処理装置。
【請求項９】
前記属性情報は、前記本の厚みを示す厚み情報を含み、
前記画像形成手段は、前記ラベル画像の予め定められた方向のサイズと前記厚みとの関係が予め定められた条件を満たすように、前記ラベル画像の前記予め定められた方向のサイズを決定する
請求項１ないし８のいずれか１項に記載の画像処理装置。
【請求項１０】
前記画像形成手段は、前記取得された属性情報に基づいて前記ラベル画像の色を決定する
請求項１ないし９のいずれか１項に記載の画像処理装置。
【請求項１１】
前記取得手段は、前記本が図書である場合には前記施設における当該図書の配置を示す配置情報を前記ラベル情報として取得する一方、前記本が雑誌である場合には当該雑誌の貸出が許可されない期間を示す禁止期間情報を前記ラベル情報として取得し、
前記画像形成手段は、前記本が図書であるか雑誌であるかによって前記画像群をソートし、該画像群を該ソートされた順に配置する
請求項１ないし１０のいずれか１項に記載の画像処理装置。
【請求項１２】
請求項１〜１１のいずれか１項に記載の画像処理装置と、
前記画像処理装置に接続された情報処理装置とを備え、
前記情報処理装置は、
本から読み取ったコードを取得する第２取得手段と、
前記取得されたコードによって特定される、前記属性情報、前記識別情報および前記ラベル情報のセットを取得する第３取得手段と、
前記取得された前記属性情報、前記識別情報および前記ラベル情報のセットを前記画像処理装置に送信する送信手段と
を備えるシステム。
【請求項１３】
コンピュータに、
本の属性を示す属性情報、本を識別する識別情報、並びに施設における当該本の配置および当該本の貸出が許可されない期間の少なくともいずれか一方を示すラベル情報のセットを１または複数取得するステップと、
前記取得された識別情報をコード画像に変換するステップと、
前記取得されたラベル情報に基づいてラベル画像を生成するステップと、
前記取得された属性情報の一部または全部を表す画像、前記変換されたコード画像、および前記生成されたラベル画像を、一の前記セットに対応する画像群が一枚の媒体に形成されるように、１または複数の媒体に画像形成するステップと
を実行させるためのプログラム。
【発明の詳細な説明】
【技術分野】
【０００１】
本発明は画像処理装置、システム及びプログラムに関する。
【背景技術】
【０００２】
図書や雑誌などの本をコンピュータで管理する仕組みが知られている。特許文献１には、国立情報学研究所により提供される総合目録ＤＢ（ＮＡＣＳＩＳ−ＣＡＴ）等のホストＤＢと連携し、図書館における目録管理を行う仕組みが開示されている。特許文献１に記載のシステムは、図書目録ＤＢに登録された目録情報を用いて目録に関する帳票等を作成し、例えば、図書原簿や、背ラベル等を印刷する。また、目録情報をテキストファイルとして出力し、パーソナルコンピュータ等のソフトウェアにより加工、印刷する。特許文献２には、納入される図書に関する受発注データと図書の内容に関する図書データを記録したＩＣカードと、ＩＣカードに記憶された情報をもとに図書のデータベースを管理するシステムにおいて、ＩＣカードから受発注データと図書データを読み出し、受発注データから納入された図書が正しいかどうかを判断し、正しければ図書データをもとにそれぞれの図書に管理コードを付与し、付与された管理コードと図書データを対応させて図書所蔵データベースに格納し、付与された管理コードを用いてバーコードプリンタで図書管理ラベルを印刷する仕組みが開示されている。
【先行技術文献】
【特許文献】
【０００３】
【特許文献１】特開２００４−２３４０７６号公報
【特許文献２】特開２００２−１６３２６号公報
【発明の概要】
【発明が解決しようとする課題】
【０００４】
本発明の目的は、本を管理するための複数の画像を作業者が本に貼付する作業を行い易くする技術を提供することにある。
【課題を解決するための手段】
【０００５】
請求項１に係る画像処理装置は、本の属性を示す属性情報、本を識別する識別情報、並びに施設における当該本の配置および当該本の貸出が許可されない期間の少なくともいずれか一方を示すラベル情報のセットを１または複数取得する取得手段と、前記取得された識別情報をコード画像に変換する変換手段と、前記取得されたラベル情報に基づいてラベル画像を生成する生成手段と、前記取得された属性情報の一部または全部を表す画像、前記変換されたコード画像、および前記生成されたラベル画像を、一の前記セットに対応する画像群が一枚の媒体に形成されるように、１または複数の媒体に画像形成する画像形成手段とを備える。
【０００６】
請求項２に係る画像処理装置は、請求項１に記載の構成において、前記画像形成手段は、前記属性情報を表す画像、前記コード画像および前記ラベル画像に加えて、前記コード画像を囲む第１枠画像および前記ラベル画像を囲む第２枠画像を、前記１または複数の媒体に画像形成する。
【０００７】
請求項３に係る画像処理装置は、請求項１または２の記載の構成において、前記画像形成手段は、前記属性情報を表す画像、前記コード画像および前記ラベル画像を囲む第３枠画像を、前記１または複数の媒体に画像形成する。
【０００８】
請求項４に係る画像処理装置は、請求項１ないし３のいずれか１項に記載の構成において、前記取得手段は、前記セットを複数取得し、前記画像形成手段は、複数の前記画像群を順に、予め定められたサイズのページに配置し、当該画像群が配置可能な余白がページ内にない場合に、当該画像群を配置するページを改める。
【０００９】
請求項５に係る画像処理装置は、請求項１ないし４のいずれか１項に記載の構成において、前記取得手段は、前記セットを複数取得し、前記画像形成手段は、複数の前記画像群を、前記属性情報、前記識別情報および前記ラベル情報の少なくともいずれかひとつに基づいてソートし、複数の前記画像群を１または複数のページに該ソートされた順に配置する。
【００１０】
請求項６に係る画像処理装置は、請求項１ないし５のいずれか１項に記載の構成において、前記媒体において前記画像群が形成される領域のサイズを算出する算出手段と、サイズがそれぞれ異なる複数の媒体のなかから、前記算出されたサイズとの関係が予め定められた条件を満たすものを選択する選択手段とを更に備え、前記画像形成手段は、前記画像群を前記選択された媒体に形成する。
【００１１】
請求項７に係る画像処理装置は、請求項１ないし６のいずれか１項に記載の構成において、前記画像形成手段は、前記コード画像と前記ラベル画像とを予め定められた第１の方向に並べて配置するとともに、前記第１の方向に垂直な第２の方向における前記コード画像の長さと前記ラベル画像の長さを揃える。
【００１２】
請求項８に係る画像処理装置は、請求項１ないし７のいずれか１項に記載の構成において、自装置の画像形成機能および画像読取機能の少なくともいずれか一方の性能に関する情報を取得する情報取得手段を更に備え、前記画像形成手段は、前記取得された情報に基づいて前記コード画像のサイズを決定する。
【００１３】
請求項９に係る画像処理装置は、請求項１ないし８のいずれか１項に記載の構成において、前記属性情報は、前記本の厚みを示す厚み情報を含み、前記画像形成手段は、前記ラベル画像の予め定められた方向のサイズと前記厚みとの関係が予め定められた条件を満たすように、前記ラベル画像の前記予め定められた方向のサイズを決定する。
【００１４】
請求項１０に係る画像処理装置は、請求項１ないし９のいずれか１項に記載の構成において、前記画像形成手段は、前記取得された属性情報に基づいて前記ラベル画像の色を決定する。
【００１５】
請求項１１に係る画像処理装置は、請求項１ないし１０のいずれか１項に記載の構成において、前記取得手段は、前記本が図書である場合には前記施設における当該図書の配置を示す配置情報を前記ラベル情報として取得する一方、前記本が雑誌である場合には当該雑誌の貸出が許可されない期間を示す禁止期間情報を前記ラベル情報として取得し、前記画像形成手段は、前記本が図書であるか雑誌であるかによって前記画像群をソートし、該画像群を該ソートされた順に配置する。
【００１６】
請求項１２に係るシステムは、請求項１〜１１のいずれか１項に記載の画像処理装置と、前記画像処理装置に接続された情報処理装置とを備え、前記情報処理装置は、本から読み取ったコードを取得する第２取得手段と、前記取得されたコードによって特定される、前記属性情報、前記識別情報および前記ラベル情報のセットを取得する第３取得手段と、前記取得された前記属性情報、前記識別情報および前記ラベル情報のセットを前記画像処理装置に送信する送信手段とを備える。
【００１７】
請求項１３に係るプログラムは、コンピュータに、本の属性を示す属性情報、本を識別する識別情報、並びに施設における当該本の配置および当該本の貸出が許可されない期間の少なくともいずれか一方を示すラベル情報のセットを１または複数取得するステップと、前記取得された識別情報をコード画像に変換するステップと、前記取得されたラベル情報に基づいてラベル画像を生成するステップと、前記取得された属性情報の一部または全部を表す画像、前記変換されたコード画像、および前記生成されたラベル画像を、一の前記セットに対応する画像群が一枚の媒体に形成されるように、１または複数の媒体に画像形成するステップとを実行させるためのプログラムである。
【発明の効果】
【００１８】
請求項１に係る画像処理装置によれば、作業者が本を管理するための複数の画像を本に貼付する作業を行い易い。
請求項２に係る画像処理装置によれば、作業者がコード画像やラベル画像を媒体から切り取る作業を行い易い。
請求項３に係る画像処理装置によれば、どの本にどのコード画像やラベル画像が対応しているかを作業者が把握し易い。
請求項４に係る画像処理装置によれば、媒体に複数の画像を効率的に形成することができる。
請求項５に係る画像処理装置によれば、本を管理するための複数の画像を本に貼付する作業順序を作業者が直観的に把握し易い。
請求項６に係る画像処理装置によれば、複数の画像を形成する媒体において無駄になる部分が軽減される。
請求項７に係る画像処理装置によれば、作業者がコード画像およびラベル画像を媒体から切り取る作業を行い易い。
請求項８に係る画像処理装置によれば、自装置の画像形成機能や画像読取機能の性能に対応したサイズのコード画像を生成することができる。
請求項９に係る画像処理装置によれば、作業者が本の背表紙にラベル画像を貼付する作業を行い易い。
請求項１０に係る画像処理装置によれば、本の属性によってラベル画像の色を異ならせることができる。
請求項１１に係る画像処理装置によれば、作業者が本を管理するための複数の画像を本に貼付する作業を行い易い。
請求項１２に係るシステムによれば、作業者が本を管理するための複数の画像を本に貼付する作業を行い易い。
請求項１３に係るプログラムによれば、作業者が本を管理するための複数の画像を本に貼付する作業を行い易い。
【図面の簡単な説明】
【００１９】
【図１】本発明の実施形態に係る情報処理システムの構成を示すブロック図である。
【図２】同実施形態に係る画像処理装置の構成を示すブロック図である。
【図３】同実施形態に係るサーバ装置の構成を示すブロック図である。
【図４】サーバ装置が記憶しているデータの一例を示す図である。
【図５】図書の外観を示す図である。
【図６】雑誌と利用者カードの外観を示す図である。
【図７】サーバ装置の機能構成を示す図である。
【図８】サーバ装置の基本的な動作を示すフロー図である。
【図９】データベース登録時のサーバ装置の動作を示すフロー図である。
【図１０】本の貸出時のサーバ装置の動作を示すフロー図である。
【図１１】画像処理装置に表示される画面の一例を示す図である。
【図１２】画像処理装置に表示される画面の一例を示す図である。
【図１３】画像処理装置に表示される画面の一例を示す図である。
【図１４】画像処理装置の動作を示すフロー図である。
【図１５】画像処理装置の動作を示すフロー図である。
【図１６】画像処理装置の動作を示すフロー図である。
【図１７】画像処理装置の動作を示すフロー図である。
【図１８】画像処理装置の動作を示すフロー図である。
【図１９】画像処理装置の動作を示すフロー図である。
【図２０】画像処理装置の動作を示すフロー図である。
【図２１】画像処理装置の動作を示すフロー図である。
【図２２】画像処理装置の動作を示すフロー図である。
【図２３】画像処理装置の動作を示すフロー図である。
【図２４】画像処理装置の動作を示すフロー図である。
【図２５】画像処理装置の動作を示すフロー図である。
【図２６】画像処理装置によって媒体に形成される画像の一例を示す図である。
【図２７】画像処理装置によって媒体に形成される画像の一例を示す図である。
【図２８】画像処理装置によって媒体に形成される画像の一例を示す図である。
【図２９】画像処理装置によって媒体に形成される画像の一例を示す図である。
【図３０】画像処理装置によって媒体に形成される画像の一例を示す図である。
【図３１】画像処理装置によって媒体に形成される画像の一例を示す図である。
【発明を実施するための形態】
【００２０】
（構成）
図１は、本発明の実施形態に係る情報処理システム１０００の構成を示すブロック図である。情報処理システム１０００は本の管理を行うためのシステムである。本は、図書と雑誌とに大別される。図書は、１人又は複数の著者や編者によって書かれた１冊完結の出版形態をとる本であるが、シリーズで出版される大系・全書なども含む。これに対し、雑誌は、同じタイトルで定期的に継続して発行される本であり、ボリューム(叢書)、巻号、パート、通号などが付与されている。図書にはＩＳＢＮ（例えば10桁又は13桁）、雑誌にはＩＳＳＮ（例えば8桁又は13桁）という国際標準番号が付与される。
【００２１】
情報処理システム１０００は、例えば図書館に設置された画像処理装置１００と、例えば図書館の管理者が運営するサーバ装置２００と、例えば国立国会図書館や書誌情報提供サイトの運営者が管理する書誌情報記憶装置３００と、これらの装置１００〜３００を接続するネットワーク４００とを備える。画像処理装置１００は、画像読取機能と画像形成機能を備えた、いわゆる複合機である。サーバ装置２００は、画像処理装置１００によって読み取られた画像を解析し、書誌情報記憶装置３００から書誌情報を取得するなどして、本の管理に関する処理を実行する。この本の管理に関する処理には、サーバ装置２００内のデータベースに本を登録／削除する処理、本を貸し出すためにデータベースを更新する処理、又は、貸し出した本の返却のためにデータベースを更新する処理の少なくともいずれかが含まれる。書誌情報記憶装置３００は、膨大な数の本の書誌情報を記憶しており、これら書誌情報をネットワーク４００経由で提供する、Ｗｅｂサーバ装置である。ネットワーク４００は、ＬＡＮ（Local Area Network）、イントラネット、ＶＰＮ（Virtual Private Network）、インターネットなどの各種ネットワークを含んでいる。画像処理装置１００と、サーバ装置２００と、書誌情報記憶装置３００のそれぞれの数は、図１の例示に限定されない。なお、サーバ装置２００の機能はいずれかの画像処理装置１００によって実装されてもよいし、いずれかの画像処理装置１００にフロントエンド装置として接続された情報処理装置１１０によって実装されてもよい。また、サーバ装置２００の機能を複数のサーバ装置に分散し、各々のサーバ装置が連携してサーバ装置２００と同等の機能を実現するようにしてもよい。サーバ装置２００の機能はいわゆるクラウドサービスとして提供されてもよい。また、書誌情報記憶装置３００以外の構成（画像処理装置１００、サーバ装置２００、情報処理装置１１０）を一つの装置内に実装してもよい。
【００２２】
図２は、画像処理装置１００の構成を示すブロック図である。画像処理装置１００は、制御部１０１と、記憶部１０２と、画像形成部１０３と、画像読取部１０４と、通信部１０５と、ＵＩ（User Interface）部１０６を備えた情報処理装置である。制御部１０１は、画像処理装置１００の各部を制御する手段であり、例えばＡＳＩＣ（Application Specific Integrated Circuit）やＣＰＵ（Central Processing Unit）などの制御回路と各種メモリによって構成されている。記憶部１０２は、例えばハードディスクなどの記憶手段であり、ＣＰＵによって実行されるプログラムや当該プログラムの実行に伴って用いられるデータを記憶する。画像形成部１０３は、例えば電子写真方式で画像を媒体に形成する手段であり、レーザービームを感光体などの像保持体に照射して潜像を形成し、これをＹ（イエロー）、M（マゼンダ）、C（シアン）、K（ブラック）の各色のトナーで現像して記録シート等の媒体に転写し、定着処理を経てからその媒体を排出する。画像読取部１０４は、原稿上の画像を光学的に読み取って画像データを生成する手段である。通信部１０５は、データを送受信する手段であり、ネットワーク４００を介してサーバ装置２００と通信を行う。ＵＩ部１０６は、利用者に対する対話を実現する手段であり、例えばキーやタッチセンサなどの操作子を備え利用者の操作に応じた操作信号を制御部１０１に供給する操作部と、例えば液晶パネルや液晶駆動回路を備え制御部１０１による制御の下で画像を表示する表示部を備えている。
【００２３】
図３は、サーバ装置２００のハードウェア構成を示すブロック図である。サーバ装置２００は、制御部２１０と、記憶部２２０と、通信部２３０とを備えている。制御部２１０は、サーバ装置２００の各部の動作を制御する手段である。制御部２１０は、ＣＰＵなどの制御回路と各種メモリによって構成されており、プログラムを実行することによりサーバ装置２００の各部の動作を制御する。記憶部２２０は、サーバ装置２００で使用されるデータを記憶する手段である。記憶部２２０は、例えばハードディスクであり、制御部２１０が実行するプログラムや、当該プログラムの実行に伴って用いられるデータを記憶する。ここでは、記憶部２２０は、図書ＤＢ（Data Base）２２１と雑誌ＤＢ２２２と分類テーブル２２３と利用者ＤＢ２２４とを記憶している。通信部２３０は、データを送受信する手段であり、ネットワーク４００を介して画像処理装置１００や書誌情報記憶装置３００と通信を行う。
【００２４】
図４は、図書ＤＢ２２１、雑誌ＤＢ２２２及び分類テーブル２２３の内容の一部を例示する図である。図書ＤＢ２２１において、管理番号は、図書館に所蔵されている図書の１冊１冊を識別する識別情報である。タイトルは図書のタイトルである。同じタイトルの図書が複数ある場合には、それぞれ異なる管理番号が付与される。ＩＳＢＮは、図書に付与された国際標準番号である。図書分類コードは、図書の主題や内容に基づく標準的な分類であり、日本では日本十進法分類（ＮＤＣ９）と呼ばれるものが知られている。請求記号（１）は、それぞれの図書館で使用する図書の分類である。請求記号（１）として、上記の日本十進法分類や、図書館が独自に定めた分類が利用される。一般に図書館においては各図書の配架場所や本棚での並び順を図書の分類ごとに定めるため、この請求記号（１）により、図書館における各図書の配架場所や本棚での並び順が特定される。請求記号（３）は、シリーズで出版される大系・全書における各図書の巻数や発行年などの分類である。請求記号（３）は、請求記号（１）内での連番であり、同一タイトルの場合には同一番号が採番されるのが一般的である。貸出フラグは、図書が貸し出し中か否かを示すフラグである。貸出日は、図書が貸し出し中の場合のその貸出日である。利用者ＩＤは、図書が貸し出し中の場合のその図書を借りた利用者の識別情報である。
【００２５】
雑誌ＤＢ２２２に含まれる各データは、上記において説明した図書ＤＢ２２１における「図書」を「雑誌」と読み替えて理解すればよい。なお、雑誌ＤＢには、その雑誌の発行日からの貸し出しが許可されない期間である禁帯出期間が含まれる。
【００２６】
分類テーブル２２３は、標準的な図書の分類である図書分類コードと、図書館独自の図書の分類である請求記号（１）との対応関係を示したものである。この分類テーブルにより、ＮＤＣ９などの標準的な図書分類コードを、図書館で用いられる請求記号（１）に変換することが可能になる。利用者ＤＢ２２４は、利用者に割り当てられた利用者ＩＤやその利用者の属性などを含むデータベースである。
【００２７】
図５は、本の外観の一例を示す平面図である。図５の例においては、本の表紙１には、管理番号を示す管理バーコード１１が貼付される。管理バーコード１１は、前述したとおり、本の１冊１冊を識別可能な識別情報である。さらに、図書の場合には、管理番号を例えば「YB000123」とし、雑誌の場合には管理番号を例えば「YM0000123」とするといったように、図書を意味する「YB」という識別子と雑誌を意味する「YM」という識別子を管理番号の一部として用いることにより、管理番号に基づいて図書／雑誌を識別可能としてもよい。また、この例では管理バーコード１１を表紙１に貼付しているが、裏表紙２や背表紙３に貼付してもよい。
【００２８】
本の裏表紙２には、本に付与されたＩＳＢＮ(図書の場合) を意味するＩＳＢＮバーコード２１又はＩＳＳＮ(雑誌の場合) を意味するＩＳＳＮバーコード２１と、本の価格を示す価格バーコード２２とが印刷ないし貼付されている。背表紙３にはラベル３１が貼付されている。このラベルは三段構成の表示になっており、その最上段には 請求記号（１）が記され、その最下段には 請求記号（３）が記される。
【００２９】
雑誌の場合には、禁帯出期間を意味する禁帯出ラベル１２が雑誌の表紙１等に貼付される（図６参照）。本の貸し出しは、図６に示した利用者カード４を所持する利用者に対してのみ行われる。利用者カード４には、各利用者を識別するための利用者ＩＤを示す利用者ＩＤバーコード４１が印刷ないし貼付されている。
なお、上記の各種情報を表現するときの形式はバーコードである必要はなく、それぞれ情報が符号化されたコードであればよい。
【００３０】
図７は、システム１０００の機能構成を示す図である。画像処理装置１００は、取得手段１５１と、変換手段１５２と、生成手段１５３と、画像形成手段１５４と、算出手段１５５と、選択手段１５６と、情報取得手段１５７とを備える。取得手段１５１は、本の属性を示す属性情報、本を識別する識別情報、並びに施設における本の配置および本の貸出が許可されない期間の少なくともいずれか一方を示すラベル情報のセットを１または複数取得する。変換手段１５２は、取得手段１５１により取得された識別情報をコード画像に変換する。生成手段１５３は、取得手段１５１により取得されたラベル情報に基づいてラベル画像を生成する。画像形成手段１５４は、取得手段１５１により取得された属性情報の一部または全部を表す画像、変換手段１５２により変換されたコード画像、および生成手段１５３により生成されたラベル画像を、一のセットに対応する画像群が一枚の媒体に形成されるように、１または複数の媒体に画像形成する。
【００３１】
算出手段１５５は、媒体において画像群が形成される領域のサイズを算出する。選択手段１５６は、サイズがそれぞれ異なる複数の媒体のなかから、算出手段１５５により算出されたサイズとの関係が予め定められた条件を満たすものを選択する。情報取得手段１５７は、自装置の画像形成機能および画像読取機能の少なくともいずれか一方の性能に関する情報を取得する。取得手段１５１、変換手段１５２、生成手段１５３、画像形成手段１５４、算出手段１５５、選択手段１５６および情報取得手段１５７は、制御部１０１のソフトウェア処理によって実現される。
【００３２】
サーバ装置２００は、第２取得手段２５１と、第３取得手段２５２と、送信手段２５３とを備える。第２取得手段２５１は、本から読み取ったコードを取得する。第３取得手段は、第２取得手段２５１によって取得されたコードによって特定される、属性情報、識別情報およびラベル情報のセットを取得する。送信手段２５３は、第３取得手段により取得された属性情報、識別情報およびラベル情報のセットを画像処理装置１００に送信する。第２取得手段２５１、第３取得手段２５２および送信手段は、制御部２１０のソフトウェア処理によって実現される。また、本に付されたコードとは、本に印刷されているコードや本に貼付されているコードのほか、本に取り外し可能な形態で取りつけられているコードなども含む。なお、コードとは、情報を表現するための記号や符号の体系であり、本実施形態では各種のバーコードやＱＲコード（登録商標）のほか、請求記号をも含む。
【００３３】
（動作）
図８〜１０は、サーバ装置２００の動作を示すフローチャートであり、図１１〜１３は画像処理装置１００に表示される画面の一例を示す図である。図８は、サーバ装置２００の基本的な動作を示しており、図９，１０は、図８のステップＳ１０７の詳細な処理を示している。
【００３４】
（基本動作）
まず、画像処理装置１００のＵＩ部１０６において、図１１に示す処理選択画面Ｇ１が表示される。この処理選択画面Ｇ１において、利用者が所望の処理を選択する。図１１に示す「本を借りる」「本を返す」「文献複写」「本を登録する」「複合機一般機能」という処理が記されたソフトボタンのうち、「本を借りる」「本を返す」「本を登録する」のソフトボタンにはそれぞれＵＲＬ（Uniform Resource Locator）が関連付けられている。利用者がこれらの「本を借りる」「本を返す」「本を登録する」という処理のいずれかを選択すると、画像処理装置１００の制御部１０１は、選択された処理に関連付けられたＵＲＬに対してＨＴＴＰ（Hyper Text Transfer Protocol）要求を送信する。一方、利用者によって「文献複写」が選択された場合、画像処理装置１００の制御部１０１は、いわゆるコピーを行うための画面データを記憶部１０２から読み出して、そのデータに応じた画面をＵＩ部１０６に表示する。また、「複合機一般機能」が選択された場合、画像処理装置１００の制御部１０１は、コピー、スキャン、ファクシミリ等の選択肢が列挙された、複合機における一般的なメニュー画面を表示するためのデータを記憶部１０２から読み出して、その画面をＵＩ部１０６に表示する。なお、上述の処理の全てを、全ての利用者に提供しなくてもよい。すなわち、全ての処理のうち幾つかの処理は全ての利用者に提供し、その他の処理は、特定の利用者にのみ提供するようにしてもよい。その際には、処理画面Ｇ１を表示する前に利用者の認証を行い、認証された利用者が利用できる処理が表示された処理画面Ｇ１を表示する方法や、最初は全ての利用者が利用できる処理が表示された処理画面Ｇ１を表示しておき、認証をして後に認証された利用者が利用可能な処理を表示する方法が考えられる。通常の利用者と特定の利用者とで表示画面自体を変更してもよい。例えば、「本を登録する」という処理は、司書のみに提供されるようにすることができる。通常の利用者用の処理画面Ｇ１には「本を登録する」を表示しないようにするとともに、司書用のログイン画面Ｇ２においてＩＤ及びパスワード等による認証成功後に、制御部１０１が司書専用の処理選択画面を表示するためのデータを記憶部１０２から読み出して、「本を登録する」と表記されたソフトボタンを含む画面をＵＩ部１０６に表示する。
【００３５】
ここでは、画像処理装置１００において利用者が「本を借りる」「本を返す」「本を登録する」のいずれかを選択する操作を行った場合を例に挙げて説明する。この場合、画像処理装置１００の制御部１０１は、選択された処理に対応付けられたＵＲＬに対しＨＴＴＰ要求を送信する。この例では、これらの処理はすべてサーバ装置２００で行われるので、このＵＲＬは、サーバ装置２００のＵＲＬである。サーバ装置２００の制御部２１０は、このＨＴＴＰ要求を受け取ることで、処理の選択を受け付ける（図８のステップＳ１０１）。そして、制御部２１０は、ＨＴＴＰ要求に応じた操作画面データを記憶部２２０から読み出して画像処理装置１００に送信する（ステップＳ１０２）。
【００３６】
画像処理装置１００の制御部１０１は受信した操作画面データに応じた操作画面をＵＩ部１０６に表示する。例えば、図書館が新規に入手した本の登録を行う場合には登録画面Ｇ３（図１１）がＵＩ部１０６に表示され、図書館が本を貸し出す(利用者が本を借りる)場合には貸出処理画面Ｇ５（図１２）がＵＩ部１０６に表示され、利用者が本を返却する場合には返却処理画面Ｇ６（図１２）がＵＩ部１０６に表示される。本を登録する場合、画像処理装置１００の画像読取部１０４に、本のＩＳＢＮバーコード２１が印刷された裏表紙２をセットし、さらに、登録画面Ｇ３に設けられた入力欄に必要な情報を入力して、「ＯＫ」と表記されたソフトボタン（以下、ＯＫボタンという）を選択する。これにより、登録画面においてＨＴＭＬ（Hyper Text Markup Language）のＦＯＲＭタグによって関連付けられたＵＲＬに対し、ＯＫボタンの識別子、その値情報、及び入力欄に入力された情報が送信される。また、本の貸出又は返却の場合、利用者は画像処理装置１００の画像読取部１０４が備えるプラテンガラスの上に、管理バーコード１１が貼付された本の表紙１と、自身の利用者カード４の利用者ＩＤバーコードが印刷された面をセットし、貸出処理画面Ｇ５又は返却処理画面Ｇ６におけるＯＫボタンを選択する。これにより、画像読取部１０４がプラテンガラス上の１冊の本から１回のスキャンで複数のコードを読み取ることになる。このとき、複数の本を同時にプラテンガラスの上においてこれらの本から一度のスキャンでコードを読み取ってもよいし、また、利用者カードを合わせてプラテンガラスの上においてこの利用者コードからコードを読み取ってもよい。これらの画面においてＨＴＭＬのＦＯＲＭタグによって関連付けられたＵＲＬに対し、ＯＫボタンの識別子及びその値情報が送信される。サーバ装置２００の制御部２０１は、これらの情報を受け取ることで、処理の指示を受け付ける（ステップＳ１０３）。なお、画像処理装置１００に設けられたハードボタンが上記のソフトボタンと同じ指示を受け付けるようにしてもよい。または、ＵＩ部１０６にソフトボタンを表示せずに、画像処理装置のハードボタンがソフトボタンの機能を代替してもよい。
【００３７】
サーバ装置２００の制御部２１０は、画像処理装置１００に対し、スキャン指示及び遷移先画面指定情報を送信する（ステップＳ１０４）。スキャン指示には、スキャンの解像度(例えば３００ｄｐｉ（dot/inch）)、白黒、画像形式(例えばＴＩＦＦ形式)等のスキャン時のパラメータと、スキャン画像データの送信先を示すＵＲＬが含まれる。遷移先画面指定情報は、画面データの格納先を意味するＵＲＬなどのパス情報である。
【００３８】
画像処理装置１００の制御部１０１は、受信したスキャン指示に従い、画像読取部１０４によって画像を読み取り、サーバ装置２００から指定されたパラメータに従って画像データを生成する。制御部１０１は、生成した画像データを指定された送信先に送信する。制御部１０１は、必要に応じて、スキャン画像データに、スキャン時のパラメータのほか、メタ情報(認証済のユーザ情報、画像処理装置のアドレス等)を付加する。
【００３９】
サーバ装置２００の制御部２１０は、画像処理装置１００から送信されるスキャン画像データを受信する（ステップＳ１０５）。そして、制御部２１０は、スキャン画像データに含まれるバーコードによって特定される情報を取得する（ステップＳ１０６）。スキャン画像データに複数のバーコードが含まれている場合には、制御部２１０は、それぞれに対応した複数の情報を取得する。そして、制御部２１０は、取得した情報を用いて処理を実行することが可能か否かを判断し、処理を実行することが可能だと判断した場合には、取得した情報に基づいて処理を実行する（ステップＳ１０７）。各々の処理の詳細については後述する。
【００４０】
ステップＳ１０５〜Ｓ１０７の間、画像処理装置１００の制御部１０１は、遷移先画面指定情報によって指定されたＵＲＬを指定して、サーバ装置２００に対して状態表示画面を要求する。サーバ装置２００の制御部２１０は、ステップＳ１０７の処理が完了していない場合は（ステップＳ１０９；Ｎｏ）、処理中画面データ（図１１の処理中画面Ｇ４）を画像処理装置１００に送信する（ステップＳ１０８，Ｓ１１０）。また、制御部２１０は、ステップＳ１０７の処理が正常終了している場合は（ステップＳ１０９；Ｙｅｓ）、正常終了画面データ（図１２の処理結果画面Ｇ７，Ｇ８、図１３の処理結果画面Ｇ９）を、エラー終了している場合はエラー画面（図１３の処理結果画面Ｇ１０，Ｇ１１，Ｇ１２）を画像処理装置１００に送信する（ステップＳ１１１）。
【００４１】
（登録動作）
次に図９を参照して、本の登録時のステップＳ１０７（図８）の処理について説明する。サーバ装置２００の制御部２１０は、スキャン画像データに含まれる１又は複数のバーコードを復号し、それぞれのバーコードから特定される１又は複数の情報を取得する。これらの情報の中に、ＩＳＢＮを示す文字列が含まれているか否かを判断する（ステップＳ３０１）。ＩＳＢＮ,ＩＳＳＮ、利用者ＩＤ、図書・雑誌の管理番号などの各種情報の識別には、それぞれのプレフィクスで判別する方法が考えらえる。具体的には、ＩＳＢＮは987で始まる13桁の数値であり、ＩＳＳＮは977で開始する13桁の数値であり、利用者ＩＤは例えばAなどの特定のプレフィクスから始まり（例；A0012345）、図書の管理番号は例えばYBなどの特定のプレフィクスから始まり（例；YB00012）、雑誌の管理番号例えばYMなどの特定のプレフィクスから始まる（例；YM0002222）ようにしておき、制御部２１０はこれらのプレフィクスで情報の種類を判断する。また、各情報の桁数や、いわゆるチェックデイジットを用いてもよい。また、バーコードの種類で判別してもよいし、バーコードの周囲の画像(ガイド画像など)やバーコードの位置で判別してもよい。
【００４２】
ＩＳＢＮが得られた場合（ステップＳ３０１；Ｙｅｓ）、制御部２１０は、ＩＳＢＮを指定して書誌情報記憶装置３００に対して書誌情報を照会する（ステップＳ３０２）。書誌情報が得られると、制御部２１０は管理番号を採番する（ステップＳ３０３）。制御部２１０は、分類テーブル２２３を参照し、取得した書誌情報に含まれる図書分類コードに対応する請求記号（１）を特定する（ステップＳ３０４）。次に、制御部２１０は、特定した請求記号（１）に対して、請求記号（３）を特定する（ステップＳ３０５）。制御部２１０は、図書データベース２２１に新規レコードを追加し、必要な情報を登録する（ステップＳ３０６）。制御部２１０は、登録された情報に基づき、画像形成部１０３を用いて管理番号の管理バーコード１１と、請求記号（１）及び請求記号（３）を含むラベル３１とを印刷する（ステップＳ３０７）。なお、ステップＳ３０７の処理の詳細は後述する。作成された管理バーコード１１やラベル３１は図書に貼り付けられる。
【００４３】
一方、ＩＳＳＮが得られた場合（ステップＳ３０１；Ｎｏ且つステップＳ３０９；Ｙｅｓ）、制御部２１０は、ＩＳＳＮを指定して書誌情報記憶装置３００に対して書誌情報を照会する（ステップＳ３１０）。書誌情報が得られると、制御部２１０は管理番号を採番する（ステップＳ３１１）。制御部２１０は、雑誌データベース２２２に新規レコードを追加し、必要な情報を登録する（ステップＳ３１２）。制御部２１０は、画像形成部１０３を用いて管理番号の管理バーコード１１と、禁帯出ラベル１２とを印刷する（ステップＳ３１３）。作成された管理バーコード１１や禁帯出ラベル１２は雑誌に貼り付けられる。なお、ステップＳ３１３の処理の詳細は後述する。
【００４４】
なお、ＩＳＢＮ及びＩＳＳＮが取得できなかった場合には（ステップＳ３０１；Ｎｏ且つステップＳ３０９；Ｎｏ）は、制御部２１０は、本の登録ができないと判断して、画像処理装置１００に対してエラー表示を行うよう指示する（ステップＳ３１５）。つまり、ステップＳ３０１及びステップＳ３０９の判断は、要求された処理である本の登録を行うことが可能か否かの判断に相当する。この場合、本の表紙、裏表紙を画像処理装置１００で読み取らせてＯＣＲ（Optical Character Recognition）処理し、書誌情報として使用してもよい。
また、上記の例では、本の登録と管理バーコードとラベルの印刷が一連の手順で実行されていたが、そうである必要はなく、本の登録が行われた後、例えば数日後などに印刷を行うようにしてもよい。
【００４５】
（管理バーコードおよびラベル作成動作）
次に、図１４〜図２５を参照して、図９のステップＳ３０７およびステップＳ３１３の処理について説明する。この例で、サーバ装置２００の制御部２１０は、図９のステップＳ３０７において、ステップＳ３０６で登録された情報に基づき、図書のタイトルなどを含む図書情報、管理番号（識別情報の一例）、請求記号（１）および請求記号（３）（ラベル情報の一例）のセットを画像処理装置１００に送信する。また、ステップＳ３１３において、制御部２１０は、ステップＳ３１２で登録された情報に基づき、雑誌のタイトルなどを含む雑誌情報、管理番号および貸出禁止期限情報のセットを画像処理装置１００に送信する。図書情報および雑誌情報は、本の属性を示す属性情報の一例である。以下では、図９のステップＳ３０７およびステップＳ３１３の動作例として、動作例１から動作例１２までの複数の動作例を、図面を参照しつつ順に説明する。
【００４６】
（動作例１）
図１４は、画像処理装置１００が行う、管理バーコード１１およびラベル３１の作成処理（図９のステップＳ３０７の処理）の流れを示すフローチャートである。画像処理装置１００の制御部１０１は、図書情報、管理番号、請求記号（１）および請求記号（３）のセットを、サーバ装置２００から受信する（取得する）（ステップＳ５０１）。制御部１０１は、受信された管理番号を管理バーコード１１（コード画像の一例）に変換する（ステップＳ５０２）。変換されるバーコードのコード体系は、例えばＣｏｄｅ３９が用いられてもよく、また、ＱＲコードなどの２次元コードであってもよい。管理バーコード１１は、画像処理装置１００でスキャン可能な最小解像度（一般的には200dpi）で読み取った場合に解析可能な大きさで作成されてもよい。このとき、制御部１０１は、管理バーコード１１の上部や下部に、図書館名や拠点名などの追加情報を付加してもよい。追加情報は画像処理装置１００の記憶部に予め保持されていてもよい。
【００４７】
制御部１０１は、受信された請求記号（１）および請求記号（３）に基づいてラベル３１の画像を生成する（ステップＳ５０３）。ラベル３１は、画像処理装置１００に予め登録されているラベル画像に請求記号（１）および請求記号（３）が合成されることによって作成されてもよい。制御部１０１は、図書情報に含まれる図書のタイトルを表す画像、管理バーコード１１およびラベル３１を、一枚の媒体に画像形成する（ステップＳ５０４）。
【００４８】
図２６の画像Ｉ１は、ステップＳ５０４において媒体に形成される画像の一例である。この例で、Ａ４サイズの１枚の媒体に、図書のタイトルＴ１と、管理バーコード１１と、請求記号（１）および請求記号（３）を含むラベル３１とが画像形成される。この例で、制御部１０１は、タイトルＴ１、管理バーコード１１およびラベル３１を、ＰＤＬ（page description language）で表される描画領域（以下、単に「ＰＤＬ」という）に配置する。制御部１０１は、まず、本のタイトルＴ１を左寄せで配置する。本のタイトルＴ１は、文字列として埋め込まれてもよく、また、フォント画像に変換された後に配置されてもよい。タイトルＴ１が長く一行ではページに入りきらない場合、ページの端までいったあと改行される。制御部１０１は、タイトルＴ１の次の行に管理バーコード１１を配置し、管理バーコード１１の次の行にラベル３１を配置する。なお、この例では、制御部１０１がタイトルＴ１、管理バーコード１１およびラベル３１（以下「画像群」という）の配置場所を一意に決定するが、画像群の配置方法はこれに限られない。例えば、配置方法を記載したテンプレートを画像処理装置１００の記憶部に予め記憶しておき、制御部１０１が記憶部に記憶されたテンプレートを参照して画像群を配置してもよい。作業者は、媒体に形成された管理バーコード１１およびラベル３１を媒体から切り取り、登録された本に貼付する。
【００４９】
（動作例２）
図１５は、画像処理装置１００が行う、管理バーコード１１およびラベル３１の作成処理の他の例を示すフローチャートである。図１５に示すフローチャートが図１４に示すフローチャートと異なる点は、図１４のステップＳ５０１〜Ｓ５０４の処理に加えて、ステップＳ５０５の処理を行う点である。図１５において、制御部１０１は、ＰＤＬに配置した管理バーコード１１およびラベル３１を囲む枠（第１枠画像、第２枠画像の一例）をＰＤＬに配置する（ステップＳ５０５）。
【００５０】
図２６の画像Ｉ２は、この動作例において媒体に形成される画像の一例である。この例で、配置される枠は、管理バーコード１１およびラベル３１と接しないよう、少しの余裕をもって配置される。なお、管理バーコード１１を囲む枠とラベル３１を囲む枠とは接していてもよい。
【００５１】
管理バーコード１１やラベル３１を枠で囲むことにより、作業者が媒体から管理バーコード１１やラベル３１をハサミなどで切り取る作業を行い易い。また、枠が管理バーコード１１やラベル３１と接しないように配置されることにより、管理バーコード１１やラベル３１が切り取り易くなり、また、切り取られる際に管理バーコード１１やラベル３１が誤って欠損してしまうことが抑制される。
【００５２】
（動作例３）
図１６は、画像処理装置１００が行う、管理バーコード１１およびラベル３１の作成処理の他の例を示すフローチャートである。図１６に示すフローチャートが図１４に示すフローチャートと異なる点は、図１４のステップＳ５０１〜Ｓ５０４の処理に加えて、ステップＳ５０６の処理を行う点である。図１６において、制御部１０１は、ＰＤＬに配置した画像群を囲む枠（第３枠画像の一例）を、ＰＤＬに配置する（ステップＳ５０６）。図２６の画像Ｉ３は、この動作例において媒体に形成される画像の一例である。この例で、配置される枠は、画像群と接しないよう、少しの余裕をもって配置される。
【００５３】
画像群が枠で囲まれることで、図書のタイトルＴ１と管理バーコード１１とラベル３１が、互いに紐付いていることが把握され易い。また、枠が管理バーコード１１やラベル３１と接しないように配置されることにより、管理バーコード１１やラベル３１が切り取り易くなり、また、切り取られる際に管理バーコード１１やラベル３１が誤って欠損してしまうことが抑制される。
【００５４】
（動作例４）
図１７は、画像処理装置１００が行う、管理バーコード１１およびラベル３１の作成処理の他の例を示すフローチャートである。この例では、サーバ装置２００から、図書情報、管理番号、請求記号（１）および請求記号（３）のセットを、複数まとめて受信する場合の動作を説明する。
【００５５】
制御部１０１は、図書情報、管理番号、請求記号（１）および請求記号（３）のセットを複数、サーバ装置２００から受信する（取得する）（ステップＳ６０１）。制御部１０１は、受信された複数のセットから１のセットを選択し、選択したセットについてステップＳ６０２以降の処理を行う。制御部１０１は、受信されたセットに含まれる管理番号を管理バーコード１１（コード画像の一例）に変換する（ステップＳ６０２）。また、制御部１０１は、制御部１０１は、受信されたセットに含まれる請求記号（１）および請求記号（３）に基づいてラベル３１の画像を生成する（ステップＳ６０３）。
【００５６】
制御部１０１は、画像群をＰＤＬ上に配置するに先立って、画像群を配置した場合のサイズを計算する（ステップＳ６０４）。このサイズは、画像群を含む矩形枠の縦および横のサイズとする。なお、この矩形枠は、画像群に接しないように配置されてもよい。
【００５７】
制御部１０１は、ＰＤＬの現在のページに、ステップＳ６０４で算出されたサイズの画像群を配置可能な余白があるかを計算する（ステップＳ６０５）。この計算には、一般的な矩形配置アルゴリズムが使用される。算出されたサイズの画像群が配置可能な余白は、縦向きであるか横向きであるかを問わない。算出したサイズの画像群を配置するだけの余白がない場合（ステップＳ６０５；ＮＯ）、制御部１０１は、ＰＤＬを改ページする（ステップＳ６０６）。算出したサイズの画像群を配置可能な余白がある場合（ステップＳ６０５；ＹＥＳ）、または改ページした場合、制御部１０１は、余白に画像群を配置する（ステップＳ６０７）。制御部１０１は、受信した複数のセットのうち、処理が未完了のものがあるか判定する（ステップＳ６０８）。未完了のセットがある場合（ステップＳ６０８；ＹＥＳ）、制御部１０１は、次の図書のセットを選択し、ステップＳ６０２の処理以降を繰り返す。制御部１０１は、全ての図書のセットについて処理が完了すると、終了する。
【００５８】
図２７の画像Ｉ４および画像Ｉ５は、この動作例において媒体に形成される画像の一例である。画像Ｉ４に示されるように、複数の画像群が１枚の媒体に画像形成される。また、複数の画像群が１枚の媒体に収まらない場合は、画像Ｉ５に示されるように、複数の媒体に分かれて画像形成される。このとき、１のセットに対応する画像群が複数のページに分断されない位置でページが改められるように、画像群の配置が決定される。
【００５９】
（動作例５）
図１８は、画像処理装置１００が行う、管理バーコード１１およびラベル３１の作成処理の他の例を示すフローチャートである。図１８に示すフローチャートが図１７に示すフローチャートと異なる点は、ステップＳ６０１の処理の後に、ステップＳ６０９の処理を行う点である。制御部１０１は、サーバ装置２００から受信された複数のセットを、各セットに含まれる図書情報（例えばタイトル）、管理番号、請求記号（１）および請求記号（３）の少なくともいずれかひとつに基づいて並び替える（ソートする）（ステップＳ６０９）。並び替えの方法は、昇順または降順でもよく、また、作業者が設定するようにしてもよい。図２８の画像Ｉ６は、複数の画像群がタイトルで並び替えられた例を示している。
【００６０】
（動作例６）
図１９は、画像処理装置１００が行う、管理バーコード１１およびラベル３１の作成処理の他の例を示すフローチャートである。図１９に示すフローチャートが図１７に示すフローチャートと異なる点は、ステップＳ６０１の処理の後に、ステップＳ６１０〜Ｓ６１２の処理を行う点である。制御部１０１は、サーバ装置２００から受信された複数のセットの数を算出する（ステップＳ６１０）。制御部１０１は、受信された複数のセットに対応する画像群をＰＤＬに配置した場合の、最小となる画像群のサイズ（以下「最小サイズ」という）を算出する（ステップＳ６１１）。この最小サイズは、画像群を含む矩形枠の縦および横のサイズとする。なお、この矩形枠は、画像群に接しないように配置されてもよい。
【００６１】
制御部１０１は、サイズがそれぞれ異なる複数の種類の媒体の中から、ステップＳ６１１で算出された最小サイズとの関係が予め定められた条件を満たすものを選択する。この例で、制御部１０１は、算出された最小サイズで画像群を画像形成した場合に、余白が最小となるサイズの媒体を選択する（ステップＳ６１２）。
【００６２】
この動作例では、図２８の画像Ｉ７１、Ａ７２に示されるように、複数の画像群が１枚のＡ４の媒体に収まりきれない場合、２枚のＡ４の媒体に画像群が形成されるのではなく、１枚のＢ４の媒体に画像群が形成される。この場合、２枚のＡ４が用いられるよりも余白が少なくなる。なお、最小の用紙サイズがＡ３サイズより大きいサイズとなった場合、制御部１０１は、Ａ４サイズを選択してもよい。これは、オフィスに設置されている一般的な画像処理装置で用いられている媒体の最大の用紙サイズがＡ３であるためである。
【００６３】
（動作例７）
図２０は、画像処理装置１００が行う、管理バーコード１１およびラベル３１の作成処理の他の例を示すフローチャートである。図２０に示すフローチャートが図１４に示すフローチャートと異なる点は、図１４のステップＳ５０４の処理の後に、ステップＳ５１１およびＳ５１２の処理を行う点である。制御部１０１は、管理バーコード１１とラベル３１とを予め定められた第１の方向に並べて配置するとともに、第１の方向に垂直な第２の方向における管理バーコード１１の長さとラベル３１の長さとを揃える。この例で、制御部１０１は、管理バーコード１１の高さが、ラベル３１の高さと一致するように調整する（ステップＳ５１１）。制御部１０１は、高さを調整した管理バーコード１１をＰＤＬ上に配置する（ステップＳ５１２）。この動作例では、図２９の画像Ｉ８２に示されるように、管理バーコード１１の高さとラベル３１の高さが揃えられる。
【００６４】
（動作例８）
図２１は、画像処理装置１００が行う、管理バーコード１１およびラベル３１の作成処理の他の例を示すフローチャートである。図２１に示すフローチャートが図１４に示すフローチャートと異なる点は、図１４のステップＳ５０１の処理を行う前にステップＳ５１３の処理を行う点と、ステップＳ５０３の処理を行った後にステップＳ５１４の処理を行う点である。図２１において、制御部１０１は、自装置の画像形成機能および画像読取機能の少なくともいずれか一方の性能に関する情報を取得する。この例で、制御部１０１は、管理バーコード１１を媒体に画像形成するデバイス、および管理バーコード１１を読み取るデバイスの機器情報を取得する（ステップＳ５１３）。制御部１０１は、ＰＤＬに画像群を配置する際に、ステップＳ５１３で取得されたデバイスの機器情報を用いてバーコードの大きさを調整する（ステップＳ５１４）。
【００６５】
例えば、１００ｄｐｉでしか画像形成できないデバイスを使用する場合、バーコードが小さすぎると、細いバーと太いバーを正しく区別して画像形成できない。その場合、制御部１０１は、管理バーコード１１のサイズを拡大してＰＤＬに配置する。また、読取デバイスの解像度が低い場合も、管理バーコード１１のサイズを拡大して配置する（図２９の画像Ｉ９１参照）。一方、読取デバイスが６００ｄｐｉに対応しており、画像形成用のデバイスも６００ｄｐｉで出力可能な場合、あまり大きなバーコードである必要がないため、ＰＤＬの領域を有効に活用するために、管理バーコード１１のサイズを小さくする（図２９の画像Ｉ９２参照）。
【００６６】
（動作例９）
図２２は、管理バーコード１１およびラベル３１の作成処理の他の例を示すフローチャートである。図２２に示すフローチャートが図１４に示したフローチャートと異なる点は、ステップＳ５０１の処理に代えて、ステップＳ５１５の処理を行う点と、ステップＳ５０４の処理の後に、ステップＳ５１６およびステップＳ５１７の処理を行う点である。制御部１０１は、図書のタイトルおよび図書の厚みを示す厚み情報を少なくとも含む図書情報（属性情報の一例）、管理番号、請求記号（１）および請求記号（３）を、サーバ装置２００から取得する（ステップＳ５１５）。また、制御部１０１は、ステップＳ５０３で生成したラベルの幅を、厚み情報に応じて調整する（ステップＳ５１６）。なお、この動作例では、制御部１０１は、サーバ装置２００から取得された厚み情報に応じてラベルの幅を決定するが、ラベルの幅の決定方法はこれに限られない。例えば、サーバ装置２００から取得する情報に図書のページ数を示す情報が含まれている場合、この情報に基づいてラベルの幅を決定してもよい。制御部１０１は、幅が決定されたラベルをＰＤＬ上に配置する（ステップＳ５１７）。
【００６７】
ところで、図書の背表紙に貼付されるラベルは、一般的に１７×２６ｍｍ程度の大きさであるが、図書によっては、ラベルよりもほんの僅かに薄いなど、作業者がラベルを貼り難い場合があった。それに対しこの動作例では、図書の厚さをもとにラベルを貼り易い大きさに調整することで、作業者がラベルの貼付作業を行いやすい。なお、ここでいう貼り易い大きさとは、例えば、ラベルの左右いくらかが表紙と裏表紙に回り込む程度の大きさをいう。一方で、調整後のラベルが余りに細かったり太かったりすると逆に貼り難いため、或る閾値を超える薄さ・厚さの図書の場合、制御部１０１は、もともとのラベルの大きさから調整しないようにする。この例では、図３０の画像Ｉ１０に示される、図書の厚みに応じて幅の異なるラベル３１ａ、３１ｂが作成される。
【００６８】
（動作例１０）
図２３は、画像処理装置１００が行う、管理バーコード１１およびラベル３１の作成処理の他の例を示すフローチャートである。図２３に示すフローチャートが図１４に示すフローチャートと異なる点は、図１４のステップＳ５０４の処理を行った後にステップＳ５１８の処理を行う点である。図２３において、制御部１０１は、サーバ装置１０から取得される図書情報を基にラベルの色を決定する（ステップＳ５１８）。例えば、制御部１０１は、デフォルトでは青いラベルを使用するが、禁帯出の図書の場合、赤いラベルを使用してもよい。使用される色は、予め作業者が設定していてもよく、その都度作業者に問い合わせてもよい。
【００６９】
ところで、図書によっては（例えば、一般図書と禁帯出の図書）、ラベルの色を変えたいケースがあるが、作業者が手作業で使い分けるのは手間が掛かる。それに対しこの実施形態では、図書の情報から使用するラベルを画像処理装置１００が選択することで、作業者の手作業が軽減される。この例では、図３０の画像Ｉ１１に示されるように、一般の図書と禁帯出の図書とで、異なる色のラベル３１ｃ、３１ｄが生成される。
【００７０】
（動作例１１）
図２４は、画像処理装置１００が行う、管理バーコード１１および禁帯出ラベル１２の作成処理（図９のステップＳ３１３の処理）の流れを示すフローチャートである。制御部１０１は、雑誌のタイトルを含む雑誌情報、管理番号および禁帯出期間（禁止期間情報の一例）のセットを、サーバ装置２００から受信する（ステップＳ７０１）。制御部１０１は、受信された管理番号を管理バーコード１１に変換する（ステップＳ７０２）。制御部１０１は、禁帯出期間から禁帯出ラベル１２を生成する（ステップＳ７０３）。制御部１０１は、雑誌情報に含まれるタイトルを表す画像、管理バーコード１１および禁帯出ラベル１２を、一枚の媒体に画像形成する（ステップＳ７０４）。
【００７１】
図３１の画像Ｉ１２は、ステップＳ７０４において媒体に形成される画像の一例である。この例で、Ａ４サイズの１枚の媒体に、雑誌のタイトルＴ１と、管理バーコード１１と、禁帯出ラベル１２とが画像形成される。
【００７２】
（動作例１２）
図２５は、画像処理装置１００が行う、管理バーコード１１、ラベル３１および禁帯出ラベル１２の生成処理の流れを示すフローチャートである。この例では、図書のタイトルを含む図書情報、管理番号、請求記号（１）および請求記号（３）の複数のセット（以下「図書情報セット」という）と、雑誌のタイトルを含む雑誌情報、管理番号および禁帯出期間の複数のセット（以下「雑誌情報セット」という）とをまとめて処理する場合の動作を説明する。制御部１０１は、複数の図書情報セットと複数の雑誌情報セットをサーバ装置２００から受信する（ステップＳ８０１）。制御部１０１は、受信した複数の図書情報セットと複数の雑誌情報セットを、図書情報セット群と雑誌情報セット群とにわかれるように並び替える（ステップＳ８０２）。例えば、「図書１」、「図書２」、「雑誌１」、「雑誌２」、「図書３」、の順でセットを受け付けた場合、制御部１０１は、「図書１」、「図書２」、「図書３」、「雑誌１」、「雑誌２」、の順に並び替えてもよい。
【００７３】
制御部１０１は、並び替えた図書情報セット群の中から一つの図書情報セットを選択する（ステップＳ８０３）。例えば、制御部１０１は、図書情報セットの昇順に一つずつ選択してもよい。制御部１０１は、選択した図書情報セットに含まれる管理番号を管理バーコードに変換する（ステップＳ８０４）。また、制御部１０１は、選択した図書情報セットに含まれる請求記号（１）および請求記号（３）に基づいてラベルを生成する（ステップＳ８０６）。なお、処理中のセットが図書情報セットではなく雑誌情報セットである場合（ステップＳ８０５；ＮＯ）、制御部１０１は、禁帯出期間から禁帯出ラベルを生成する（ステップＳ８０７）。
【００７４】
次いで、制御部１０１は、処理中のセットに対応する画像群をＰＤＬ上に配置した場合のサイズを計算する（ステップＳ８０８）。なお、ここでいうサイズとは、画像群を内包する矩形枠の縦と横のサイズである。制御部１０１は、計算したサイズをＰＤＬに配置するための余白があるかを判定する（ステップＳ８１０）。計算したサイズ分の余白がない場合（ステップＳ８１０；ＮＯ）、制御部１０１は、ＰＤＬを改ページする（ステップＳ８１１）。計算したサイズの画像群を配置可能な余白がある場合（ステップＳ８１０；ＹＥＳ）、または改ページした場合、制御部１０１は、余白に画像群を配置する（ステップＳ８１２）。
【００７５】
制御部１０１は、処理が完了していない図書情報セットがある場合、残りの図書情報セットから一つを選択し、ステップＳ８０４の処理に戻って、管理バーコード１１の生成処理以降を繰り返す。また、制御部１０１は、図書情報セット群の処理を終えると（ステップＳ８１４；ＹＥＳ）、雑誌情報セットについて処理を開始する（ステップＳ８０９）。
【００７６】
ところで、複数の図書情報セットと複数の雑誌情報セットをまとめて処理する場合、作業者は、管理バーコード１１などの画像群が、図書は図書、雑誌は雑誌でまとまって出力されたほうが作業を行い易い。一方で、予め図書と雑誌で選り分けて画像処理装置１００に入力するのは手間が掛かる。それに対しこの実施形態では、画像処理装置１００が図書および雑誌でそれぞれまとめて画像群を配置し、作業者の作業を行い易くしている。この例では、図３１の画像Ｉ１３と画像Ｉ１４に示されるように、図書の画像群と雑誌の画像群とが別々の媒体に形成される。
【００７７】
（貸出）
次に図１０を参照して、本の貸出時のステップＳ１０７（図８）の処理について説明する。
【００７８】
サーバ装置２００の制御部２１０は、スキャン画像データに含まれる１又は複数のバーコードを復号し、１又は複数の情報を取得する。制御部２１０は、これらの情報の中に、利用者ＩＤを示す文字列が含まれているか否かを判断する（ステップＳ２００）。利用者ＩＤが得られた場合（ステップＳ２００；Ｙｅｓ）、制御部２１０は、得られた利用者ＩＤと、記憶部２２０に記憶されている利用者ＤＢに含まれる利用者ＩＤとを照合し、正当な利用者であるか否かを判断する（ステップＳ２０１）。正当な利用者であれば（ステップＳ２０１；Ｙｅｓ）、制御部２１０は、上記の情報の中に、管理番号を示す文字列が含まれているか否かを判断する（ステップＳ２０２）。管理番号が得られた場合（ステップＳ２０２；Ｙｅｓ）、制御部２１０は、管理番号を参照して図書であるか否かを判断する（ステップＳ２０３）。図書の場合（ステップＳ２０３；Ｙｅｓ）、制御部２１０は、図書ＤＢ２２１を読み出して（ステップＳ２０４）、管理番号に対する貸出フラグ、利用者ＩＤ及び貸出日を、貸出の内容に更新する（ステップＳ２０５）。
【００７９】
一方、制御部２１０は、管理番号を参照して雑誌であると判断した場合（ステップＳ２０３；Ｎｏ且つステップＳ２０６；Ｙｅｓ）、雑誌ＤＢ２２２を読み出して（ステップＳ２０７）、禁帯出期間を経過していれば（ステップＳ２０８；Ｙｅｓ）、管理番号に対する貸出フラグ、利用者ＩＤ及び貸出日を非貸出の内容に更新する（ステップＳ２０９）。なお、利用者ＩＤや管理番号が取得できなかった場合（ステップＳ２０１；Ｎｏ又はステップＳ２０２；Ｎｏ）や、禁帯出期間を経過していない場合（ステップＳ２０８；Ｎｏ）は、制御部２１０は、本の貸し出しができないと判断して、画像処理装置１００に対してエラー表示を行うよう指示する（ステップＳ２１０）。つまり、ステップＳ２０１、ステップＳ２０２及びステップＳ２０８の判断は、要求された処理である本の貸し出しを行うことが可能か否かの判断に相当する。
【００８０】
図書・雑誌の返却に関しては、貸出の時の同様の手順で、管理番号に対する貸出フラグ、利用者ＩＤ及び貸出日を、返却に応じた内容に更新すればよい。
また、データベースにおける本の削除の場合、サーバ装置２００の制御部２１０は、スキャン画像データに含まれる１又は複数のバーコードを復号し、１又は複数の情報を取得する。制御部２１０は、これらの情報の中に、管理番号を示す文字列が含まれているか否かを判断する。管理番号が得られた場合、制御部２１０は、管理番号を参照して図書であれば、図書ＤＢ２２１において上記管理番号に対応する情報を削除するし、管理番号を参照して雑誌であれば、雑誌ＤＢ２２２において上記管理番号に対応する情報を削除する。
なお、図１０の例では、利用者が所望の処理（貸出又は返却）を選択した後に、利用者ＩＤに基づく認証を行っていたが、まず利用者の認証を行い、そのあとに、所望の処理を選択するような手順であってもよい。また、上記では利用者カードという媒体を用いて認証を行っていたが、これは一例であり、利用者ＩＤやパスワードを利用者が手入力して認証を行ってもよいし、ユーザの顔などの身体情報を用いた認証などのように、正当な利用者であるか否かを判定し得るものであれば、どのようなものでもよい。また、複合機としての通常の画像処理装置における認証と、「本を借りる」や「本を返す」などの図書管理における認証とを共通にしてもよい。
【００８１】
なお、上述の図８〜図１０のフローにおける処理の主体は上述の実施形態において例示したものに限定されない。例えば、ステップＳ１０３およびステップＳ１０４の処理を、サーバ装置２００でなく画像処理装置１００が行ってもよい。
【００８２】
また、上述の実施形態では、管理バーコードやラベルの生成動作として、動作例１から動作例１２を例示したが、これらの動作は、複数の動作が組み合わされて行われてもよい。
【００８３】
なお、利用者の認証はＩＣカードや生体認証などの手法で実現してもよい。
本発明は、コンピュータを情報処理装置として機能させるためのプログラムや、係るプログラムを記録した記録媒体の形態でも提供され得る。また、本発明に係るプログラムは、インターネット等のネットワークを介してコンピュータにダウンロードされてもよい。
【符号の説明】
【００８４】
１・・・表紙、２・・・裏表紙、３・・・背表紙、１１・・・管理バーコード、２１・・・ＩＳＢＮバーコード、ＩＳＳＮバーコード、２２・・・価格バーコード、３１・・・ラベル、１００・・・画像処理装置、１０１・・・制御部、１０２・・・記憶部、１０３・・・画像形成部、１０４・・・画像読取部、１０５・・・通信部、１０６・・・ＵＩ部、１１０・・・情報処理装置、２００・・・サーバ装置、２１０・・・制御部、２２０・・・記憶部、２２１・・・図書ＤＢ、２２２・・・雑誌ＤＢ、２２３・・・分類テーブル、２３０・・・通信部、３００・・・書誌情報記憶装置、４００・・・ネットワーク
【図１】
2016001396.tif 000003
【図２】
2016001396.tif 000004
【図３】
2016001396.tif 000005
【図４】
2016001396.tif 000006
【図５】
2016001396.tif 000007
【図６】
2016001396.tif 000008
【図７】
2016001396.tif 000009
【図８】
2016001396.tif 000010
【図９】
2016001396.tif 000011
【図１０】
2016001396.tif 000012
【図１１】
2016001396.tif 000013
【図１２】
2016001396.tif 000014
【図１３】
2016001396.tif 000015
【図１４】
2016001396.tif 000016
【図１５】
2016001396.tif 000017
【図１６】
2016001396.tif 000018
【図１７】
2016001396.tif 000019
【図１８】
2016001396.tif 000020
【図１９】
2016001396.tif 000021
【図２０】
2016001396.tif 000022
【図２１】
2016001396.tif 000023
【図２２】
2016001396.tif 000024
【図２３】
2016001396.tif 000025
【図２４】
2016001396.tif 000026
【図２５】
2016001396.tif 000027
【図２６】
2016001396.tif 000028
【図２７】
2016001396.tif 000029
【図２８】
2016001396.tif 000030
【図２９】
2016001396.tif 000031
【図３０】
2016001396.tif 000032
【図３１】
2016001396.tif 000033
【手続補正書】
【提出日】平成27年8月10日(2015.8.10)
【手続補正１】
【補正対象書類名】特許請求の範囲
【補正対象項目名】全文
【補正方法】変更
【補正の内容】
【特許請求の範囲】
【請求項１】
物の属性を示す属性情報および当該物を識別する識別情報のセットに対応する、前記属性情報を表す画像および識別情報を表すコード画像が一枚の媒体に形成されるように画像を出力する出力手段
を備える画像処理装置。
【請求項２】
前記出力手段が出力する画像には、前記コード画像を囲む第１枠画像が含まれている
請求項１に記載の画像処理装置。
【請求項３】
前記セットは複数あって、前記出力手段は、１セットの画像群は同じ媒体に配置されるように出力する
請求項１または２に記載の画像処理装置。
【請求項４】
前記セットは複数あって、
前記出力手段は、複数のセットの画像群を順に媒体に配置し、次の画像が配置不可能な場合に、当該画像群を配置する媒体を改めるように出力する
請求項３項に記載の画像処理装置。
【請求項５】
前記セットは複数あって、
前記出力手段は、複数のセットの画像群を、前記属性情報、前記識別情報のいずれかに基づいてソート部を有し、
前記出力手段は媒体に該ソートされた順に出力する
請求項１ないし４のいずれか１項に記載の画像処理装置。
【請求項６】
前記画像群が形成される領域のサイズを算出する算出手段と、
サイズが異なる複数の媒体のなかから、前記算出されたサイズとの関係が予め定められた条件を満たすものを選択する選択手段と、を備え
前記出力手段は、前記画像群を前記選択された媒体に形成されるようにする
請求項１ないし５のいずれか１項に記載の画像処理装置。
【請求項７】
前記出力手段は、１セットの画像を第１の方向に並べて配置する
請求項１ないし６のいずれか１項に記載の画像処理装置。
【請求項８】
媒体に前記画像を形成する画像形成機能および媒体に出力された前記画像を読みとる画像読取機能の少なくともいずれか一方の性能に関する情報を取得する情報取得手段を備え、
前記出力手段は、前記性能に基づいて前記コード画像のサイズを決定する
請求項１ないし７のいずれか１項に記載の画像処理装置。
【請求項９】
対象とする物は本であって、
前記出力手段は、前記本が図書であるか雑誌であるかによって前記画像群をソートし、該画像群を該ソートされた順に出力する
請求項１ないし８のいずれか１項に記載の画像処理装置。
【請求項１０】
前記識別情報は、前記物を貸す際又はおよび返す際に使用される該物を特定する情報である
請求項１ないし９のいずれか１項に記載の画像処理装置。
【請求項１１】
物の属性を示す属性情報および当該物を識別する識別情報のセットを取得する取得手段と、
前記セットに対応する、前記属性情報を表す画像および前記識別情報を表すコード画像を一枚の媒体に形成する画像形成手段と
を備える画像処理装置。
【請求項１２】
物の属性を示す属性情報および当該物を識別する識別情報のセットを取得する取得手段と、
前記識別情報に基づいたコード画像に変換する変換手段と、
前記セットに対応する、前記属性情報を表す画像および前記コード画像が一枚の媒体に形成されるように画像を出力する出力手段と
を備えるシステム。
【請求項１３】
コンピュータに、
物の属性を示す属性情報、物を識別する識別情報を取得するステップと、
前記取得された識別情報をコード画像に変換するステップと、
前記取得された属性情報を表す画像、前記変換されたコード画像、一の前記セットに対応する画像群が一枚の媒体に形成されるように、媒体に画像形成するステップと
を実行させるためのプログラム。
【手続補正２】
【補正対象書類名】明細書
【補正対象項目名】０００３
【補正方法】変更
【補正の内容】
【０００３】
【特許文献１】特開２００３−８５１８４号公報
【特許文献２】特開平９−２７４６３０号公報
【手続補正３】
【補正対象書類名】明細書
【補正対象項目名】０００４
【補正方法】変更
【補正の内容】
【０００４】
本発明の目的は、物を管理するための画像を作業者が物に貼付する作業を行い易くする技術を提供することにある。
【手続補正４】
【補正対象書類名】明細書
【補正対象項目名】０００５
【補正方法】変更
【補正の内容】
【０００５】
請求項１に係る画像処理装置は、物の属性を示す属性情報および当該物を識別する識別情報のセットに対応する、前記属性情報を表す画像および前記識別情報を表すコード画像が一枚の媒体に形成されるように画像を出力する出力手段を備える。
【手続補正５】
【補正対象書類名】明細書
【補正対象項目名】０００６
【補正方法】変更
【補正の内容】
【０００６】
請求項２に係る画像処理装置は、請求項１に記載の構成において、前記出力手段が出力する画像には、前記コード画像を囲む第１枠画像が含まれている。
【手続補正６】
【補正対象書類名】明細書
【補正対象項目名】０００７
【補正方法】変更
【補正の内容】
【０００７】
請求項３に係る画像処理装置は、請求項１または２の記載の構成において、前記セットは複数あって、前記出力手段は、１セットの画像群は同じ媒体に配置されるように出力する。
【手続補正７】
【補正対象書類名】明細書
【補正対象項目名】０００８
【補正方法】変更
【補正の内容】
【０００８】
請求項４に係る画像処理装置は、請求項３項に記載の構成において、前記セットは複数あって、  前記出力手段は、複数のセットの画像群を順に媒体に配置し、次の画像が配置不可能な場合に、当該画像群を配置する媒体を改めるように出力する。
【手続補正８】
【補正対象書類名】明細書
【補正対象項目名】０００９
【補正方法】変更
【補正の内容】
【０００９】
請求項５に係る画像処理装置は、請求項1ないし４のいずれか１項に記載の構成において、前記セットは複数あって、前記出力手段は、複数のセットの画像群を、前記属性情報、前記識別情報のいずれかに基づいてソート部を有し、前記出力手段は媒体に該ソートされた順に出力する。
【手続補正９】
【補正対象書類名】明細書
【補正対象項目名】００１０
【補正方法】変更
【補正の内容】
【００１０】
請求項６に係る画像処理装置は、請求項1ないし５のいずれか１項に記載の構成において、  前記画像群が形成される領域のサイズを算出する算出手段と、サイズが異なる複数の媒体のなかから、前記算出されたサイズとの関係が予め定められた条件を満たすものを選択する選択手段と、を備え、前記出力手段は、前記画像群を前記選択された媒体に形成されるようにする。
【手続補正１０】
【補正対象書類名】明細書
【補正対象項目名】００１１
【補正方法】変更
【補正の内容】
【００１１】
請求項７に係る画像処理装置は、請求項1ないし６のいずれか１項に記載の構成において、前記出力手段は、１セットの画像を第１の方向に並べて配置する。
【手続補正１１】
【補正対象書類名】明細書
【補正対象項目名】００１２
【補正方法】変更
【補正の内容】
【００１２】
請求項８に係る画像処理装置は、請求項1ないし７のいずれか１項に記載の構成において、媒体に前記画像を形成する画像形成機能および媒体に出力された前記画像を読みとる画像読取機能の少なくともいずれか一方の性能に関する情報を取得する情報取得手段を備え、  前記出力手段は、前記性能に基づいて前記コード画像のサイズを決定する。
【手続補正１２】
【補正対象書類名】明細書
【補正対象項目名】００１３
【補正方法】変更
【補正の内容】
【００１３】
請求項９に係る画像処理装置は、請求項1ないし８のいずれか１項に記載の構成において、対象とする物は本であって、前記出力手段は、前記本が図書であるか雑誌であるかによって前記画像群をソートし、該画像群を該ソートされた順に出力する。
【手続補正１３】
【補正対象書類名】明細書
【補正対象項目名】００１４
【補正方法】変更
【補正の内容】
【００１４】
請求項１０に係る画像処理装置は、請求項1ないし９のいずれか１項に記載の構成において、前記識別情報は、前記物を貸す際又はおよび返す際に使用される該物を特定する情報である。
【手続補正１４】
【補正対象書類名】明細書
【補正対象項目名】００１５
【補正方法】変更
【補正の内容】
【００１５】
請求項１１に係る画像処理装置は、物の属性を示す属性情報および当該物を識別する識別情報のセットを取得する取得手段と、前記セットに対応する、前記属性情報を表す画像および前記識別情報を表すコード画像を一枚の媒体に形成する画像形成手段とを備える。
【手続補正１５】
【補正対象書類名】明細書
【補正対象項目名】００１６
【補正方法】変更
【補正の内容】
【００１６】
請求項１２に係るシステムは、物の属性を示す属性情報および当該物を識別する識別情報のセットを取得する取得手段と、  前記識別情報をコード画像に変換する変換手段と、前記セットに対応する、前記属性情報を表す画像および前記コード画像が一枚の媒体に形成されるように画像を出力する出力手段とを備える。
【手続補正１６】
【補正対象書類名】明細書
【補正対象項目名】００１７
【補正方法】変更
【補正の内容】
【００１７】
請求項１３に係るプログラムは、  コンピュータに、物の属性を示す属性情報、物を識別する識別情報を取得するステップと、  前記取得された識別情報をコード画像に変換するステップと、  前記取得された属性情報を表す画像、前記変換されたコード画像、一の前記セットに対応する画像群が一枚の媒体に形成されるように、媒体に画像形成するステップとを実行させるためのプログラム。
【手続補正１７】
【補正対象書類名】明細書
【補正対象項目名】００１８
【補正方法】変更
【補正の内容】
【００１８】
請求項１に係る画像処理装置によれば、作業者が物を管理するための画像を物に貼付する作業を行い易い。  請求項２に係る画像処理装置によれば、作業者がコード画像を媒体から切り取る作業を行い易い。  請求項３に係る画像処理装置によれば、複数の画像を貼付する作業を行い易い。  請求項４に係る画像処理装置によれば、媒体に複数の画像を効率的に形成することができる。  請求項５に係る画像処理装置によれば、物を管理するための複数の画像を物に貼付する作業順序を作業者が直観的に把握し易い。  請求項６に係る画像処理装置によれば、複数の画像を形成する媒体において無駄になる部分が軽減される。  請求項７に係る画像処理装置によれば、作業者がコード画像を媒体から切り取る作業を行い易い。  請求項８に係る画像処理装置によれば、画像形成機能や画像読取機能の性能に対応したサイズのコード画像を生成することができる。  請求項９に係る画像処理装置によれば、作業者が本を管理するための複数の画像を本に貼付する作業を行い易い。  請求項１０に係る画像処理装置によれば、物の貸出や返却を管理することができる。  請求項１１に係る画像処理装置によれば、作業者が物を管理するための画像を本に貼付する作業を行い易い。  請求項１２に係るシステムによれば、作業者が物を管理するための画像を物に貼付する作業を行い易い。  請求項１３に係るプログラムによれば、作業者が物を管理するための画像を物に貼付する作業を行い易い。